(57)【特許請求の範囲】
【請求項１】
開口部を有する容器にＬＥＤ発光装置を収納した装飾品において、前記容器が外側と内側の２層のろう様物質からなり、これら外側と内側のろう様物質の少なくとも一層に着色剤を有し、かつ前記の外側と内側の層の境界近傍に装飾部材を有することを特徴とするＬＥＤ発光装置内蔵装飾品。
【請求項２】
前記の外側と内側の層に有する着色剤は、均一又は不均一に含有していることを特徴とする請求項１に記載のＬＥＤ発光装置内蔵装飾品。
【請求項３】
前記装飾部材がガラス粉砕粒、ビーズ、毛糸、ＯＨＰシートから選択された少なくとも１種であることを特徴とする請求項１又は請求項２に記載のＬＥＤ発光装置内蔵装飾品。
【請求項４】
前記装飾品の上面又は底面に吊り下げ用部材を有していることを特徴とする請求項１乃至請求項３のいずれかに記載のＬＥＤ発光装置内蔵装飾品。
【請求項５】
前記装飾品の上面に造形物を有することを特徴とする請求項１乃至請求項４のいずれかに記載のＬＥＤ発光装置内蔵装飾品。
【請求項６】
開口部を有する容器にＬＥＤ発光装置を内蔵した装飾品の製造方法であって、
（ａ）ろう様物質を加温して溶融し、これに着色剤を添加し、混合して混合物を形成する工程、
（ｂ）前記混合物が、可塑性を有する間に、雌型金型の内面に貼り付ける工程、（ｃ）更に前記貼り付けられたろう様物質が可塑性を有する間に、該内面に装飾部材を付着する工程、
（ｄ）前記装飾部材を有するろう様物質が固化した後、雌型金型から分離してもよい開口部を有するろう様物質からなる容器に加温溶融した同じ又は別のろう様物質を充填する工程、
（ｅ）前記充填された容融ろう様物質中に雄型金型を挿入し、固化する工程、
（ｆ）前記雌型金型を有する場合には、該雌型金型と雄型金型を外し、ろう様物質からなる容器を形成する工程、
（ｇ）前記容器の開口部からＬＥＤ発光装置を導入する工程からなることを特徴とするＬＥＤ発光装置内蔵装飾品の製造方法。
【発明の詳細な説明】
【技術分野】
【０００１】
本発明は、ＬＥＤ発光装置内蔵装飾品及びその製造方法に関し、更に詳しくはろう様物質からなる容器中にＬＥＤ発光装置を内蔵したＬＥＤ発光装置内蔵装飾品及びその製造方法に関するものである。
【背景技術】
【０００２】
ＬＥＤ発光装置を内蔵した装飾品は種々知られており、日常生活にも入り込んで省エネ商品として人気を呼んでいる。従来、このようなＬＥＤ発光装置内蔵装飾品は、イベント会場、ライブハウス、そしてレストランや家庭の居間や寝室などあらゆる場所で使用されている。具体的には、ＬＥＤを用いた装飾品に関する考案として、ケース内にＬＥＤと電池を収納し、下部から導電性の球を繋げた吊り下げ部を二本吊り下げる。本体のケースを吊るしておくと、風などにより二本吊り下げ部が互いに接触し、その結果、ＬＥＤが発光し、点滅するような装飾品が開示されている（例えば、特許文献１参照）。また発光型装飾品が開示され、具体的には、置物タイプや壁掛けタイプの装飾品やペンダント、ブローチ、指輪等の身飾品であり、ハウジングに電源からの電力で異なる色に発光する光源とその電源を収納し、異なる色に発光する光源により次々に移り変わる光色の点滅で装飾する発光型装飾品が開示されている（例えば、特許文献２参照）。
【先行技術文献】
【特許文献】
【０００３】
【特許文献１】実用新案登録第３１５０１６９号（実施例１、図１、図２）
【特許文献２】実用新案登録第３０９６１６６号（段落０００７、図１、図２）
【発明の概要】
【発明が解決しようとする課題】
【０００４】
しかしながら、前述のような特許文献１や２に記載の装飾品は、身飾品であり、人の身、即ちペンダント、ブローチ、指輪また置物タイプや壁掛けタイプの装飾品としてＬＥＤ発光型の装飾品であるが、これらのＬＥＤ発光型の装飾品は、ハウジング内の各導光体の発光を発散させるようハウジングに形成した放光窓を備えているもので、一方向に放光されるものである。
【０００５】
そこで、本発明者等は、ＬＥＤ発光を用いた装飾品を限定的用途ではなく、広範囲の用途に使用することができるばかりでなく、全放光性のＬＥＤ発光装飾品及びこのようなＬＥＤ発光装飾品を簡単な製造方法により安価に作製することについて、種々検討したところ、容器又はハウジングとしてろう様物質を用いることにより全放光性であり、かつ幻想的な装飾性をかもし出すＬＥＤ発光装置内蔵装飾品が得られると共に、その簡単な製造方法を見出し、ここに、本発明を成すに至った。
【０００６】
したがって、本考案が解決しようとする課題は、広範囲の用途に使用することができるばかりでなく、全放光性であり、かつ幻想的な装飾性をかもし出すＬＥＤ発光装飾品及びこのようなＬＥＤ発光装飾品を簡単な製造方法により安価に作製することができるＬＥＤ発光装置内蔵装飾品の製造方法を提供することにある。
【課題を解決するための手段】
【０００７】
本発明の上記課題は、以下の各発明によってそれぞれ達成される。
【０００８】
（１）開口部を有する容器にＬＥＤ発光装置を収納した装飾品において、前記容器が外側と内側の２層のろう様物質からなり、これら外側と内側のろう様物質の少なくとも一層に着色剤を有し、かつ前記の外側と内側の層の境界近傍に装飾部材を有することを特徴とするＬＥＤ発光装置内蔵装飾品。
（２）前記の外側と内側の層に有する着色剤は、均一又は不均一に含有していることを特徴とする請求項１に記載のＬＥＤ発光装置内蔵装飾品。
（３）前記装飾部材がガラス粉砕粒、ビーズ、毛糸、ＯＨＰシートから選択された少なくとも１種であることを特徴とする請求項１又は請求項２に記載のＬＥＤ発光装置内蔵装飾品。
（４）前記装飾品の上面又は底面に吊り下げ用部材を有していることを特徴とする請求項１乃至請求項３のいずれかに記載のＬＥＤ発光装置内蔵装飾品。
（５）前記装飾品の上面に造形物を有することを特徴とする請求項１乃至請求項４のいずれかに記載のＬＥＤ発光装置内蔵装飾品。
【０００９】
（６）開口部を有する容器にＬＥＤ発光装置を内蔵した装飾品の製造方法であって、
（ａ）ろう様物質を加温して溶融し、これに着色剤を添加し、混合して混合物を形成する工程、
（ｂ）前記混合物が、可塑性を有する間に、雌型金型の内面に貼り付ける工程、
（ｃ）更に前記貼り付けられたろう様物質が可塑性を有する間に、該内面に装飾部材を付着する工程、
（ｄ）前記装飾部材を有するろう様物質が固化した後、雌型金型から分離してもよい開口部を有するろう様物質からなる容器に加温溶融した同じ又は別のろう様物質を充填する工程、
（ｅ）前記充填された容融ろう様物質中に雄型金型を挿入し、固化する工程、
（ｆ）前記雌型金型を有する場合には、該雌型金型と雄型金型を外し、ろう様物質からなる容器を形成する工程、
（ｇ）前記容器の開口部からＬＥＤ発光装置を導入する工程からなることを特徴とするＬＥＤ発光装置内蔵装飾品の製造方法。
【発明の効果】
【００１０】
本発明の開口部を有する容器にＬＥＤ発光装置を収納した装飾品において、前記容器が外側と内側の２層のろう様物質からなり、これら外側と内側のろう様物質の少なくとも一層に着色剤を有し、かつ前記の外側と内側の層の境界近傍に装飾部材を有することにより、ＬＥＤ光線によりろう様物質中に存在する着色剤の均一又は不均一の色が放射されて火を使わないでろうそく風、即ちキャンドル風の幻想的な雰囲気をかもし出すことができる。更にこれと相まって装飾部材による装飾効果が増大してライブ会場、コンサート会場、レストランの室内や建築物の内外の装飾、居間や寝室などの家庭内の装飾などの適用場所の装飾効果をかもし出すという優れた効果を奏するものである。また本発明の（２）に記載の外側と内側の層に有する着色剤は、均一又は不均一に含有していることにより、着色剤の色に回りの雰囲気がかもし出されるという優れた効果を奏するものである。本発明の（３）に記載の装飾部材がガラス粉砕粒、ビーズ、毛糸、ＯＨＰシートから選択された少なくとも１種であることにより、見る場所で色が変わりキラキラして装飾効果を高める。またＯＨＰシートの場合には、印刷によって表現された文字や画像によって装飾効果をえることができるという優れた効果を奏するものである。本発明の（４）に記載の装飾品の上面又は底面に吊り下げ用部材を有していることにより、吊り下げ用部材で吊り下げることにより雰囲気中に設置することができ、また置物として使用される場合には、装飾品の上面にある吊り下げ用部材は装飾的機能を有してものである。更に本発明の（５）に記載の装飾品の上面に造形物を有することにより、前記（４）に記載の吊り下げ用部材による装飾効果よりいっそう優れた装飾効果を奏するものである。
【００１１】
前記（６）に記載の開口部を有する容器にＬＥＤ発光装置を内蔵した装飾品の製造方法であって、下記の（ａ）〜（ｇ）の工程によって、優れた作用乃至効果を奏するものである。
（ａ）ろう様物質を加温して溶融し、これに着色剤を添加し、混合して混合物を形成する工程により、ろう様物質で装飾的効果のある容器又はハウジングを作製することにあり、着色剤の混合形態によりいっそう装飾効果に優れたものが得られる。
（ｂ）前記混合物が、可塑性を有する間に、雌型金型の内面に貼り付ける工程により、簡単な製造方法で外側容器が形成されるので、経済的である。
（ｃ）更に前記貼り付けられたろう様物質が可塑性を有する間に、該内面に装飾部材を付着する工程により、装飾部材の装飾効果が発揮される。
（ｄ）前記装飾部材を有するろう様物質が固化した後、雌型金型から分離してもよい開口部を有するろう様物質からなる容器に加温溶融した同じ又は別のろう様物質を充填する工程により、装飾部材をろう様物質内に容易に固定することができる。
（ｅ）前記充填された容融ろう様物質中に雄型金型を挿入し、固化する工程により、ＬＥＤ発光装置を内蔵させるための空洞を形成する。
（ｆ）前記雌型金型を有する場合には、該雌型金型と雄型金型を外し、ろう様物質からなる容器を形成する工程により、ろう様物質で形成された容器又はハウジングが歪んだりしないで作製することができる。
（ｇ）前記容器の開口部からＬＥＤ発光装置を導入する工程により、本発明のＬＥＤ発光装置内蔵装飾品が簡単な工程で製造されるという優れた効果を奏するものである。
【図面の簡単な説明】
【００１２】
【図１】本発明のＬＥＤ発光装置内蔵装飾品を示す断面図である。
【図２】本発明に用いられる雌型金型を示す断面図である。
【図３】本発明に用いられる雌型金型の内面に貼り付けられたろう様物質を示す断面図である。
【図４】本発明に用いられる雌型金型から取り出されたろう様物質の容器を示す断面図である。
【図５】本発明に係るろう様物質の容器の内面に装飾部材を有するところを示す断面図である。
【図６】本発明に係る装飾部材を有するろう様物質の容器に内層形成用ろう様物質を注入したところを示す断面図である。
【図７】本発明に係る内層形成用ろう様物質を注入したろう様物質の容器に雄型金型を嵌入したところを示す断面図である。
【図８】本発明に係るろう様物質容器を示す断面図である。
【図９】本発明に係るろう様物質容器にＬＥＤ発光装置を取り付けたところを示す断面図である。
【図１０】本発明のＬＥＤ発光装置内蔵装飾品の製造に際し、別の製造方法に用いられる工程の一部を示す断面図である。
【図１１】ａは本発明に用いられるＬＥＤ発光装置を示す断面図であり、及びｂはその配線図である。
【図１２】本発明のＬＥＤ発光装置内蔵装飾品の外形を示す斜視図乃至側面図である。
【図１３】本発明のＬＥＤ発光装置内蔵装飾品の製造方法を示すフローシートである。
【発明を実施するための形態】
【００１３】
以下、本発明を図面やフローシートを示して具体的に説明するが、本発明は、その一例を例示的に示して説明するものであって、以下に説明する具体的事例に限定されるものではない。本発明に用いられる容器は、ハウジングともいう。
【００１４】
本発明のＬＥＤ発光装置内蔵装飾品は、開口部を有する容器にＬＥＤ発光装置を収納した装飾品において、前記容器が外側と内側の２層のろう様物質からなり、これら外側と内側のろう様物質の少なくとも一層に着色剤を有し、かつ前記の外側と内側の層の境界近傍に装飾部材を有することを特徴とするＬＥＤ発光装置内蔵装飾品である。本発明に用いられるろう様物質は、特に限定されるものではないが、常温で固体の融点が５０℃〜８４℃の範囲にあるものであれば、最も好ましい。具来的には、植物性ロウ；例えば、木ロウ、カルナバロウ、みつロウ；動物性ロウ；石油系ロウ、例えば、パラフィンロウ等が挙げられる。またこれらのろう様物質には、形を容易に作るために、必要に応じて可塑剤を加えることができる。この可塑剤としては、高級脂肪酸が好ましく、例えば、パルミチン酸、ステアリン酸、オレイン酸などの脂肪酸が挙げられる。添加量は、ろう様物質の種類にもよるが、ろう様物質１００重量部に対して、１０重量部以下（０重量部でもよい。）がよく、好ましくは、４重量部〜６重量部である。
【００１５】
着色剤は、特に限定されるものではないが、水性、油性、ろう様物質に不溶性の染料、顔料等が上げられる。好ましくは、油性クレヨンである。本発明に用いられる装飾部材としては、特に限定されるものではないが、ガラス粉砕片、ガラス粉砕粒、ビーズ（形状は、球状に限らず、特に限定されない。）、毛糸等の１種又は２種以上を混合したものを含有していてもよく、更にＯＨＰのみでもよく、前記のガラス粉砕片、ガラス粉砕粒、ビーズ、毛糸等の１種又は２種以上と一緒に用いてもよい。ＯＨＰとは、透明又は半透明のシートに文字や画像のシルエットを印刷したものである。またろう様物質中に分散される着色剤は、均一に分散してもまた不均一に分散してもよく、更に着色剤は、ろう様物質からなる容器の外側層又は内側層に含有してもよく、また外側層と内側層の両方の層に含有していてもよい。
【００１６】
本発明のＬＥＤ発光装置内蔵装飾品は、該装飾品の上面に吊り下げ用部材を有していても、該底面に吊り下げ用部材を設けても、更にその両方に吊り下げ用部材を設けてもよい。該吊り下げ用部材は、糸、紐、針金等でよい。更にこれらの吊り下げ用部材に装飾的効果を造形してもよい。本発明のＬＥＤ発光装置内蔵装飾品は、置物タイプとして使用する場合には、該ＬＥＤ発光装置内蔵装飾品の上面に造形物を有していてもよい。造形物としては、小さな人形、小物細工（動物、植物、飾り物など）でよい。
【００１７】
本発明のＬＥＤ発光装置内蔵装飾品は、製造方法にも特徴があり、本発明の製造方法を図１乃至図１１と図１３に示されるフローシートとで説明すると、図１は、本発明のＬＥＤ発光装置内蔵装飾品Ｉ又は４４であり、この製造方法は、具体的には、開口部２２を有する容器２３にＬＥＤ発光装置５を内蔵した装飾品Ｉの製造方法であって、
（ａ）ろう様物質３１を加温して溶融し、溶融ろう様物質３２を形成し、これに着色剤９を添加し、混合して混合物３４を形成する工程、
（ｂ）前記混合物３４が、可塑性を有する間に、雌型金型２０の内面に貼り付ける工程、
（ｃ）更に前記貼り付けられたろう様物質が可塑性を有する間に、該内面に装飾部材３，４を付着する工程、
（ｄ）前記装飾部材３，４を有するろう様物質３１が固化した後、雌型金型２０から分離してもよい開口部２２を有するろう様物質からなる容器に加温溶融した同じ又は別のろう様物質２を充填する工程、
（ｅ）前記充填された容融ろう様物質２中に雄型金型１２を挿入し、固化する工程、
（ｆ）前記雌型金型２０を有する場合には、該雌型金型２０と雄型金型１２を外し、ろう様物質からなる容器２３を形成する工程、
（ｇ）前記容器の開口部２２からＬＥＤ発光装置５を導入する工程からなることを特徴とするＬＥＤ発光装置内蔵装飾品の製造方法である。
【００１８】
ここで、（ａ）において、溶融ろう様物質３２を形成し、これに着色剤９を添加し、混合して混合物３４を形成する場合、均一又は不均一混合物を形成する際の溶融ろう様物質３２と着色剤９との混合割合は、溶融ろう様物質１００重量部に対して、１重量部〜２０重量部が好ましく、更に好ましくは３重量部〜１０重量部である。また、不均一混合物の場合には、３重量部〜２０重量部が好ましい。更に均一混合物を製造する場合には、十分撹拌をすることにより達成される。また不均一混合物とする場合には、撹拌時間を短くすることにより得られる。撹拌は自動でも手動でもよい。（ｂ）において、雌型金型２０は、装飾品の外形により種々の型が用いられるが、後述の図１２に示される例の型が挙げられる。また雌型金型２０の材質は、アクリル製やアルミニウム製が好ましいが、これらに限定されるものではない。雌型金型２０の内面への貼り付けは、ろう様物質が柔らかい間に手で貼り付けても、また機械的に貼り付けてもよい。（ｃ）において、装飾部材３，４の付着は均一又は不均一に固定してもよく、付着方法は特に限定されない。（ｇ）において、ＬＥＤ発光装置５の取り付けは、ＬＥＤ発光装置を挿入嵌合してもよく、好ましくはＬＥＤ発光装置を挿入した後、その下部周辺を接着剤で接着することが好ましい。接着剤の種類は特に限定されない。ＬＥＤ発光装置のＬＥＤランプは、連続光又は不連続光のいずれもよいが、装飾効果を挙げるには不連続光が好ましく、更にＬＥＤランプは、赤、緑、青の三色による単色光やこれらの色の混合色が光放射され、装飾効果をいっそう高める。
【００１９】
本発明のＬＥＤ発光装置内蔵装飾品は、図１２に示されるように、その外観形状は、円柱タイプ（ａ）ボールタイプ（ｂ）、円錐代タイプ（ｃ）、たまごタイプ（ｄ）、燭台タイプ（ｅ）、その他キューブタイプ、デカたまごタイプ（たまごタイプのサイズの大きいもの）などがあるが、特にこれらに限定されるものではなく、外観形状は動物、植物、建築物などであってもよい。本発明のＬＥＤ発光装置内蔵装飾品は、その使用場所は限定されるものではないが、好ましくは、ライブ会場、コンサート会場、レストランの室内や建築物の内外の装飾、居間や寝室などの家庭内の装飾などがある。本発明のＬＥＤ発光装置内蔵装飾品は、前述のような場所で使用されることにより、火をつかわないので、スイッチ１つで簡単に点灯でき、安全かつろうそくの色や質感のあるこれまでにない美しさ、きれいさを楽しむことができ、いっそう楽しい雰囲気をかもし出すことができるものであります。また本発明のＬＥＤ発光装置内蔵装飾品を全工程を手作りで作製した場合には、形も色や模様も全て一点であり、特にレストランの室内の装飾、居間や寝室などの家庭内の装飾などには好ましい。
【実施例】
【００２０】
以下に、本発明のＬＥＤ発光装置内蔵装飾品の製造方法を実施例として示すが、本発明は、これによって限定されるものではない。
【００２１】
〔実施例１〕
以下に、図１に示されるＬＥＤ発光装置内蔵装飾品Ｉの製造方法を図１３を参照して説明する。内径６ｃｍのアルミニウム製筒状雌型金型２０と外形４．３ｃｍのアルミニウム製筒状雄型金型１２を用意する。図２に示される底部を有し、前記アルミニウム製筒状雌型金型２０の底の中心に電動ドリルで孔１１を開ける。ついで、この孔１１に飾り用紐８を通す（図３）。この飾り用紐に代えてローソクの芯を用いる場合には、火を灯すこともできる。別途、加熱可能な容器にパラフィンワックス９５重量部とステアリン酸５重量部の割合で添加した後、混合し８５℃で加温して溶融し、撹拌する〔（ａ）参照〕。ついで、ピンク色の油性クレヨン１０重量部を添加し、不均一混合物（むらのある混合物）９が形成されるように適度に撹拌する〔（ａ）参照〕。得られたろう様物質混合物を前記雌型金型２０の内面に貼り付ける〔（ｂ）参照〕。ここで、ろう様物質の内面が柔らいうちに、装飾部材であるガラス粒３やビーズ４を不規則に貼り付けて固定する〔（ｃ）参照〕。ろう様物質が固化した後、雌型金型２０から取り外すと、ろう様物質からなる容器１が得られる〔（ｄ）参照〕。このようにして得られたろう様物質の容器の内面には装飾部材であるガラス粒３やビーズ４が不規則に貼り付けられ、かつ固定されている。更にガラス粒３やビーズ４の貼り付けと同時にＯＨＰシート１０を貼り付けてもよい（図５）。
【００２２】
得られたろう様物質容器１に別に用意したろう様物質２ａを流し込む（図６）。ついで、前記雄型金型１２を挿入する（図７）〔（ｅ）参照〕。ろう様物質２ａが固化した後、雄型金型１２を取り除く（図８）〔（ｆ）参照〕。このようにして得られたろう様物質からなる装飾品容器の開口部にスイッチ６を有するＬＥＤ発光装置５を挿入した後、セメダイン７でＬＥＤ発光装置の周囲に付けて接着する（図９）〔（ｇ）参照〕。一方、ＬＥＤ発光装置５は、天面が曲面からなり、かつその中央部に透孔を有する筒状容器と蓋からなり、この蓋の内側にＬＥＤ発光ランプ１５、電池及びスイッチを備えたＬＥＤ発光装置が取付けられている（図１１）。このＬＥＤ発光装置５の配線図は、図１１のｂに示されているように、点滅回路が形成されている。
【００２３】
本発明では、金型を抜き易いように予め雌型金型２０の内面、及び雄型金型１２の外面に潤滑剤を塗布しておくことができる。潤滑剤としては、特に限定されないが、費用などの点を考慮すると、身近にあるサラダ油などが好ましい。
【００２４】
〔実施例２〕
本発明の実施例では、外側ろう様物質層１を形成固化後、図３に示されるように、雌型金型を付けたまま、図５乃至図６の工程を行い、ついで図１２の工程、即ち前記雄型金型１２を挿入する工程を行う。更に図８の如く、ろう様物質２ａが固化した後、雌型金型２０と雄型金型１２を取り除く。以下、図９の工程以降は、実施例１と同じである。即ち、実施例２では、図８までは、実施例１の製造工程において、雌型金型２０を付けたまま行い、図９の工程で始めて雌型金型２０を外す点で実施例１とは異なるものである。
【産業上の利用可能性】
【００２５】
本発明のＬＥＤ発光装置内蔵装飾品は、火を使わないで照明による装飾が可能であり、環境問題にもやさしい。したがって、装飾効果に優れているばかりでなく安全面と環境上からみて、今後、この技術分野でいっそう注目されると共に、産業上の利用の可能性は大きい。
【符号の説明】
【００２６】
１  外側ろう様物質容器
２  内側ろう様物質容器
２ａ  内側ろう様物質
３、４  装飾部材
５  ＬＥＤ発光装置
６  スイッチ
７  接着剤
８  紐
９  着色剤
１０  ＯＨＰ
１１  透孔
１２  雄型金型
１３  第１基板
１４  第２基板
１５  光制御ＩＣ
１６  配線コード
１７  電池収納ケース
１８  電池
１９  コンデンサー
２０  雌型金型
２１  発光ダイオード
２２  容器開口部
２３  容器又はハウジング
３１  ろう様物質
３２  溶融ろう様物質
３４  着色剤混合物
Ｉ、４４  ＬＥＤ発光装置内蔵装飾品
【図１２】
0005442494.tif 000002
【図１３】
0005442494.tif 000003
【図１】
0005442494.tif 000004
【図２】
0005442494.tif 000005
【図３】
0005442494.tif 000006
【図４】
0005442494.tif 000007
【図５】
0005442494.tif 000008
【図６】
0005442494.tif 000009
【図７】
0005442494.tif 000010
【図８】
0005442494.tif 000011
【図９】
0005442494.tif 000012
【図１０】
0005442494.tif 000013
【図１１】
0005442494.tif 000014